(57)【要約】  利得切替型トランスインピーダンスアンプにおいて、ノイズを受信した場合に発生する不必要な利得切替を防止し、入力レベルの大きいノイズを受信した後に入力レベルの小さいバースト信号を受信した場合に発生する感度低下を防ぐことができる技術を提供するために、トランスインピーダンスアンプ５において、バースト信号が入力される前置増幅器２００と、前置増幅器２００の出力と第１の閾値電圧とを比較する平均検出開始判定部３００と、前置増幅器２００の出力が第１の閾値電圧を超えた時点から、一定時間の前置増幅器２００の出力の平均値を検出し出力する平均検出回路４００と、平均検出回路４００の出力に基づき、前置増幅器２００の利得を切り替えるか否かを決定する利得切替制御部５００とを備える。
2010082585.tif 000002
【特許請求の範囲】
【請求項１】
ＰＯＮシステムのＯＬＴが有するバースト信号受信機における利得切替型トランスインピーダンスアンプであって、
バースト信号が入力される前置増幅器と、
前記前置増幅器の出力と第１の閾値電圧とを比較する平均検出開始判定部と、
前記前置増幅器の出力が前記第１の閾値電圧を超えた時点から、一定時間の前記前置増幅器の出力の平均値を検出し出力する平均検出回路と、
前記平均検出回路の出力に基づき、前記前置増幅器の利得を切り替えるか否かを決定する利得切替制御部とを備えることを特徴とするトランスインピーダンスアンプ。
【請求項２】
請求項１に記載のトランスインピーダンスアンプにおいて、
前記前置増幅器は、反転増幅器と、前記反転増幅器に並列に接続される帰還抵抗と、前記帰還抵抗に並列に接続される帰還回路とを備え、
前記帰還回路は、抵抗とスイッチとを備え、
前記スイッチの開閉によって利得が制御されることを特徴とするトランスインピーダンスアンプ。
【請求項３】
請求項１または２に記載のトランスインピーダンスアンプにおいて、
前記平均検出開始判定部は、前記前置増幅器の出力が前記第１の閾値電圧を超えた場合に、平均検出信号を所定の時間送信することを特徴とするトランスインピーダンスアンプ。
【請求項４】
請求項１〜３のいずれか１項に記載のトランスインピーダンスアンプにおいて、
前記平均検出回路は、前記平均検出開始判定部が出力する平均検出信号を受信している任意の時間における、前記前置増幅器の出力の平均値を検出し、一定時間出力することを特徴とするトランスインピーダンスアンプ。
【請求項５】
請求項１〜４のいずれか１項に記載のトランスインピーダンスアンプにおいて、
前記利得切替制御部は、第２の閾値電圧と前記平均検出回路の出力とを比較し、利得切替信号を前記前置増幅器の帰還回路に送信することで前記帰還回路のスイッチを閉成して利得を制御し、外部リセット信号を受信するまで前記利得切替信号を送信し続けることを特徴とするトランスインピーダンスアンプ。
【請求項６】
請求項１に記載のトランスインピーダンスアンプにおいて、
前記前置増幅器は、反転増幅器と、前記反転増幅器に並列に接続される帰還抵抗と、前記帰還抵抗に並列に接続されるｍ個（ｍは１以上）の帰還回路とを備え、
前記帰還回路は、抵抗とスイッチとを備え、
前記スイッチの開閉によって利得が制御されることを特徴とするトランスインピーダンスアンプ。
【請求項７】
請求項１、３、４、６のいずれか１項に記載のトランスインピーダンスアンプにおいて、
前記利得切替制御部は、前記前置増幅器の帰還回路に１対１で対応したそれぞれ値の異なる第２〜第（ｍ＋１）の閾値電圧と前記平均検出回路の出力とを比較し、前記第２〜第（ｍ＋１）の閾値電圧に対応した利得切替信号を前記帰還回路に送信することで前記帰還回路のスイッチを閉成して利得を制御し、外部リセット信号を受信するまで前記利得切替信号を送信し続けることを特徴とするトランスインピーダンスアンプ。
【請求項８】
請求項１または６に記載のトランスインピーダンスアンプにおいて、
前記平均検出開始判定部は、前記前置増幅器の出力が前記第１の閾値電圧を超えた場合に、平均検出信号を所定の時間送信し、前記平均検出回路からリセット信号を受信している間は、前記前置増幅器の出力が前記第１の閾値電圧を超えている場合でも、前記平均検出信号を送信しないことを特徴とするトランスインピーダンスアンプ。
【請求項９】
請求項１、６、８のいずれか１項に記載のトランスインピーダンスアンプにおいて、
前記平均検出回路は、前記平均検出開始判定部が出力する平均検出信号を受信している所定の時間における前記前置増幅器の出力の平均値を検出し、前記平均値を前記利得切替制御部に一定時間出力し、同時に前記平均検出開始判定部にリセット信号を一定時間出力し、前記平均検出信号が送信されることを抑止することを特徴とするトランスインピーダンスアンプ。
【請求項１０】
請求項１、６、８、９のいずれか１項に記載のトランスインピーダンスアンプにおいて、
前記利得切替制御部は、外部リセット信号を受信した後、前記平均検出回路の出力が第２の閾値電圧を超えたことをｎ回（ｎ≦ｍ）検出すると、前記前置増幅器の帰還回路に１対１で対応した利得切替信号のうち、第ｎの利得切替信号を送信することで前記帰還回路のスイッチを閉成して利得を制御し、前記外部リセット信号を受信するまで前記利得切替信号を送信し続けることを特徴とするトランスインピーダンスアンプ。
【請求項１１】
ＯＬＴと複数のＯＮＵとを有し、前記ＯＬＴと前記複数のＯＮＵとが光ファイバを介して接続されたＰＯＮシステムであって、
前記ＯＬＴは、
バースト信号が入力される前置増幅器と、
前記前置増幅器の出力と第１の閾値電圧とを比較する平均検出開始判定部と、
前記前置増幅器の出力が前記第１の閾値電圧を超えた時点から、一定時間の前記前置増幅器の出力の平均値を検出し出力する平均検出回路と、
前記平均検出回路の出力に基づき、前記前置増幅器の利得を切り替えるか否かを決定する利得切替制御部と、によって構成される光受信回路を備えることを特徴とするＰＯＮシステム。
【請求項１２】
請求項１１に記載のＰＯＮシステムにおいて、
前記ＯＬＴが備える前記前置増幅器は、反転増幅器と、前記反転増幅器に並列に接続される帰還抵抗と、前記帰還抵抗に並列に接続される帰還回路とを備え、
前記帰還回路は、抵抗とスイッチとを備え、
前記スイッチの開閉によって利得が制御されることを特徴とするＰＯＮシステム。
【請求項１３】
請求項１１または１２に記載のＰＯＮシステムにおいて、
前記ＯＬＴが備える前記平均検出開始判定部は、前記前置増幅器の出力が前記第１の閾値電圧を超えた場合に、平均検出信号を所定の時間送信することを特徴とするＰＯＮシステム。
【請求項１４】
請求項１１〜１３のいずれか１項に記載のＰＯＮシステムにおいて、
前記ＯＬＴが備える前記平均検出回路は、前記平均検出開始判定部が出力する平均検出信号を受信している任意の時間における、前記前置増幅器の出力の平均値を検出し、一定時間出力することを特徴とするＰＯＮシステム。
【請求項１５】
請求項１１〜１４のいずれか１項に記載のＰＯＮシステムにおいて、
前記ＯＬＴが備える前記利得切替制御部は、第２の閾値電圧と前記平均検出回路の出力とを比較し、利得切替信号を前記前置増幅器の帰還回路に送信することで前記帰還回路のスイッチを閉成して利得を制御し、外部リセット信号を受信するまで前記利得切替信号を送信し続けることを特徴とするＰＯＮシステム。
【請求項１６】
請求項１１に記載のＰＯＮシステムにおいて、
前記ＯＬＴが備える前記前置増幅器は、反転増幅器と、前記反転増幅器に並列に接続される帰還抵抗と、前記帰還抵抗に並列に接続されるｍ個（ｍは１以上）の帰還回路とを備え、
前記帰還回路は、抵抗とスイッチとを備え、
前記スイッチの開閉によって利得が制御されることを特徴とするＰＯＮシステム。
【請求項１７】
請求項１１、１３、１４、１６のいずれか１項に記載のＰＯＮシステムにおいて、
前記ＯＬＴが備える前記利得切替制御部は、前記前置増幅器の帰還回路に１対１で対応したそれぞれ値の異なる第２〜第（ｍ＋１）の閾値電圧と前記平均検出回路の出力とを比較し、前記第２〜第（ｍ＋１）の閾値電圧に対応した利得切替信号を前記帰還回路に送信することで前記帰還回路のスイッチを閉成して利得を制御し、外部リセット信号を受信するまで前記利得切替信号を送信し続けることを特徴とするＰＯＮシステム。
【請求項１８】
請求項１１または１６に記載のＰＯＮシステムにおいて、
前記ＯＬＴが備える前記平均検出開始判定部は、前記前置増幅器の出力が前記第１の閾値電圧を超えた場合に、平均検出信号を所定の時間送信し、前記平均検出回路からリセット信号を受信している間は、前記前置増幅器の出力が前記第１の閾値電圧を超えている場合でも、前記平均検出信号を送信しないことを特徴とするＰＯＮシステム。
【請求項１９】
請求項１１、１６、１８のいずれか１項に記載のＰＯＮシステムにおいて、
前記ＯＬＴが備える前記平均検出回路は、前記平均検出開始判定部が出力する平均検出信号を受信している所定の時間における前記前置増幅器の出力の平均値を検出し、前記平均値を前記利得切替制御部に一定時間出力し、同時に前記平均検出開始判定部にリセット信号を一定時間出力し、前記平均検出信号が送信されることを抑止することを特徴とするＰＯＮシステム。
【請求項２０】
請求項１１、１６、１８、１９のいずれか１項に記載のＰＯＮシステムにおいて、
前記ＯＬＴが備える前記利得切替制御部は、外部リセット信号を受信した後、前記平均検出回路の出力が第２の閾値電圧を超えたことをｎ回（ｎ≦ｍ）検出すると、前記前置増幅器の帰還回路に１対１で対応した利得切替信号のうち、第ｎの利得切替信号を送信することで前記帰還回路のスイッチを閉成して利得を制御し、前記外部リセット信号を受信するまで前記利得切替信号を送信し続けることを特徴とするＰＯＮシステム。
【発明の詳細な説明】
【技術分野】
【０００１】
本発明は、ＯＬＴ（Ｏｐｔｉｃａｌ  Ｌｉｎｅ  Ｔｅｒｍｉｎａｔｉｏｎ：加入者収容装置）と複数のＯＮＵ（Ｏｐｔｉｃａｌ  Ｎｅｔｗｏｒｋ  Ｕｎｉｔ：光加入者終端装置）とを有するＰＯＮ（Ｐａｓｓｉｖｅ  Ｏｐｔｉｃａｌ  Ｎｅｔｗｏｒｋ）システムに関し、特に、バースト信号受信機内のトランスインピーダンスアンプにおける利得切り替え技術に適用して有効な技術に関する。
【背景技術】
【０００２】
ＰＯＮシステムは、光ファイバ伝送路やＯＬＴを複数のＯＮＵで共有する、高速／大容量の光アクセスシステムであり、１ユーザあたりのコストを抑制できる技術として注目を集めている。このＰＯＮシステムでは、ＯＬＴからＯＮＵへの光信号（下り信号）は連続信号であるが、ＯＮＵからＯＬＴへの光信号（上り信号）は、衝突を防ぐためにＯＬＴで送信制御が行われ、バースト信号となり、さらにＯＮＵとＯＬＴの距離はユーザによって異なるため、ＯＬＴは、異なるレベルの光信号を受信することになる。従ってＯＬＴは、高受信感度性をもち、広いダイナミックレンジを達成することが可能な受信機を有することが必要となる。【０００３】
広いダイナミックレンジの実現方法として、バースト信号の入力レベルに応じて利得の切替を行うトランスインピーダンスアンプを用いる方法が広く用いられている。特許文献１では、出力電圧の瞬時値を閾値電圧と比較し、その結果に応じて利得切替回路を制御するトランスインピーダンスアンプについて開示されている。この方法によれば、利得切替判断回路にヒステリシス特性をもたせることにより、第１のヒステリシス特性によって比較判定した結果に基づき利得の切替動作を行った後、第１のヒステリシス特性よりも低い電圧検出レベルの第２のヒステリシス特性によって比較判定した結果に基づき利得切替動作を停止し、利得を固定する構成が示されている。
【先行技術文献】
【特許文献】
【０００４】
【特許文献１】特開２００６−３１１０３３号公報
【発明の概要】
【発明が解決しようとする課題】
【０００５】
しかし、上述した従来技術においては次のような問題点がある。ＰＯＮシステムでは、様々な要因によりノイズが発生する。例えば、ＯＬＴが送信する下り信号の反射、他のＯＮＵからの漏れ光、ＯＬＴ内のリセット信号などが挙げられる。従来技術において、これらのような原因で発生するノイズが利得切替閾値よりも大きいレベルで受信機に入力された場合、利得判断切替回路の動作によって、トランスインピーダンスアンプの利得は小さく設定される。この切替後に受信する、または受信中であるバースト信号が、実際は利得を小さくするべきでない、入力レベルの小さい信号であった場合、十分に増幅されず、結果として受信感度が低下してしまう。【０００６】
したがって、ＰＯＮシステムのＯＬＴが有するバースト信号受信機における利得切替型トランスインピーダンスアンプにおいては、ノイズを受信した場合には利得の切替を行わず、バースト信号に対して適切な利得に切替える機能が必要である。【０００７】
そこで本発明の目的は、ＰＯＮシステムのＯＬＴが有するバースト信号受信機における利得切替型トランスインピーダンスアンプにおいて、ノイズを受信した場合に発生する不必要な利得切替を防止し、入力レベルの大きいノイズを受信した後に入力レベルの小さいバースト信号を受信した場合に発生する感度低下を防ぐことができる技術を提供することである。【０００８】
本発明の前記ならびにその他の目的と新規な特徴は、本明細書の記述および添付図面から明らかになるであろう。
【課題を解決するための手段】
【０００９】
本願において開示される発明のうち、代表的なものの概要を簡単に説明すれば、次のとおりである。【００１０】
すなわち、代表的なものの概要は、光入力レベルの大きいバースト信号が入力された場合に利得を小さく切替えるトランスインピーダンスアンプにおいて、バースト信号が入力される前置増幅器と、前置増幅器の出力と第１の閾値電圧とを比較する平均検出開始判定部と、前置増幅器の出力が第１の閾値電圧を超えた時点から、一定時間の前置増幅器の出力の平均値を検出し出力する平均検出回路と、平均検出回路の出力に基づき、前置増幅器の利得を切り替えるか否かを決定する利得切替制御部とを備える。この構成により、前置増幅器からの出力電圧を第１の閾値電圧と比較し、出力電圧が第１の閾値電圧を超えていた場合に、一定時間の出力電圧の平均値を検出し、さらに平均値が第２の閾値電圧を超えていた場合に利得を小さくすることで、入力レベルの大きいバースト信号に対応し、適切な出力波形を得る。
【発明の効果】
【００１１】
本願において開示される発明のうち、代表的なものによって得られる効果を簡単に説明すれば以下のとおりである。【００１２】
すなわち、代表的なものによって得られる効果は、利得切替型トランスインピーダンスアンプにおいて、ＯＬＴが送信する下り信号の反射、他のＯＮＵからの漏れ光、ＯＬＴ内のリセット信号などに起因するノイズを受信した場合に発生する不必要な利得切替を防止し、入力レベルの大きいノイズを受信した後に入力レベルの小さいバースト信号を受信した場合の感度低下を防ぐことができる。
【図面の簡単な説明】
【００１３】
【図１】本発明を適用する実施の形態のＰＯＮシステムの構成例を示すブロック図である。
【図２】本発明の第１の実施例におけるトランスインピーダンスアンプの構成例を示す図である。
【図３】本発明の第１の実施例におけるトランスインピーダンスアンプの動作タイミング例を示す図である。
【図４】本発明の第１の実施例におけるトランスインピーダンスアンプの動作例を示すフロ−チャートである。
【図５】本発明の第１の実施例におけるトランスインピーダンスアンプにおいて、平均検出回路の構成例を示す図である。
【図６】本発明の第１の実施例におけるトランスインピーダンスアンプにおいて、平均検出回路における積分回路の他の構成例を示す図である。
【図７】本発明の第１の実施例におけるトランスインピーダンスアンプにおいて、平均検出回路の動作タイミング例を示す図である。
【図８】本発明の第２の実施例におけるトランスインピーダンスアンプの動作タイミング例を示す図である。
【図９】本発明の第３の実施例におけるトランスインピーダンスアンプの構成例を示す図である。
【図１０】本発明の第３の実施例におけるトランスインピーダンスアンプの動作タイミング例を示す図である。
【図１１】本発明の第４の実施例におけるトランスインピーダンスアンプの構成例を示す図である。
【図１２】本発明の第４の実施例におけるトランスインピーダンスアンプの動作タイミング例を示す図である。
【発明を実施するための形態】
【００１４】
以下、本発明の実施の形態および実施例を図面に基づいて詳細に説明する。なお、実施の形態および実施例を説明するための全図において、同一の部材には原則として同一の符号を付し、その繰り返しの説明は省略する。
【００１５】
〔本発明の実施の形態〕
本発明を適用する実施の形態のＰＯＮシステムの構成例のブロック図を図１に示す。図１に示すように、本実施の形態のＰＯＮシステム全体は、ＯＬＴ１と、複数のＯＮＵ２（図１では３つの例：２（ａ）、２（ｂ）、２（ｃ））と、それらの間に設置された光ファイバ３と光分岐器４を含む。ＯＬＴ１の内部構成は、ＯＮＵ２からの上り光信号の受信に係わる部分と、フレームを処理する部分からなる。
【００１６】
上り光信号の受信に係わる部分は、光信号を光電流に変換する受光素子１００と、光電流を電圧信号に変換するトランスインピーダンスアンプ５と、前記電圧信号を一定振幅に増幅する後置増幅器６００で構成される。また、フレームを処理する部分については、ＰＯＮフレームを符号復号するＰＨＹ７００と、ＭＡＣフレームを処理して外部のネットワークと接続されるＭＡＣフレーム処理部８００とで構成される。
【００１７】
ここで、本発明であるトランスインピーダンスアンプ５は、光電流を電圧信号に変換する前置増幅器２００と、前記前置増幅器２００の出力と第１の閾値電圧を比較する平均検出開始判定部３００と、前記前置増幅器２００の出力が前記第１の閾値電圧を超えた時点から、一定時間の前記前置増幅器２００の出力の平均値を検出し出力する平均検出回路４００と、前記平均検出回路４００の出力に基づき、前記前置増幅器２００の利得を切り替えるか否かを決定する利得切替制御部５００によって構成される。
【００１８】
以下、本発明の実施の形態について、実施例を挙げて詳細に説明する。
【００１９】
〔第１の実施例〕
まず、本発明の第１の実施例におけるトランスインピーダンスアンプの構成について、図２を参照して以下に説明する。本実施例におけるトランスインピーダンスアンプ５は、受光素子１００から送信される光電流１０を電圧信号Ｖｏｕｔ２０に変換する前置増幅器２００と、前記前置増幅器２００の出力電圧の平均検出の開始を判断し、平均検出信号３０を送信する平均検出開始判定部３００と、前記平均検出開始判定部３００からの平均検出信号３０に基づいて前記前置増幅器２００の出力電圧の平均値Ｖａｖｅ４０を検出する平均検出回路４００と、平均値Ｖａｖｅ４０に基づいて前記前置増幅器２００の利得の切替えを行う利得切替制御部５００によって構成される。
【００２０】
（前置増幅器２００の説明）
前置増幅器２００は、反転増幅器２１０と、前記反転増幅器２１０に並列接続される第１の帰還抵抗２２０と、さらに同様に並列接続される第２の帰還抵抗２３０と、前記第２の帰還抵抗２３０に直列に接続されるスイッチ２４０を備える。前置増幅器２００に前記受光素子１００より光電流１０が入力されると、電圧信号に変換され、この電圧信号Ｖｏｕｔ２０が出力される。
【００２１】
（帰還抵抗２２０、２３０の説明）
前置増幅器２００の利得は、スイッチ２４０の開閉により制御される。初期状態は、反転増幅器２１０に第１の帰還抵抗２２０が並列接続された状態であり、スイッチ２４０が閉成されると、さらに第２の帰還抵抗２３０が並列接続され、利得が減少する。
【００２２】
（スイッチ２４０の説明）
スイッチ２４０の開閉は、利得切替制御部５００から送信される利得切替信号６０に従う。スイッチ２４０は、ＭＯＳトランジスタなどのスイッチ機能を有する素子であればよく、リレー等が用いられてもよい。
【００２３】
（平均検出開始判定部３００の説明）
平均検出開始判定部３００は、コンパレータ３１０と平均検出信号送信回路３２０を備える。
【００２４】
（コンパレータ３１０の説明）
コンパレータ３１０の正側には閾値電圧１が入力され、負側には前記前置増幅器２００からの出力の電圧信号Ｖｏｕｔ２０が入力される。Ｖｏｕｔ２０が閾値電圧１を超えた場合、前記コンパレータ３１０の出力がＨｉｇｈレベルとなり、平均検出信号送信回路３２０に入力される。
【００２５】
（平均検出信号送信回路３２０の説明）
平均検出信号送信回路３２０は、前記コンパレータ３１０からＨｉｇｈレベルの信号入力があった場合に、所定の時間Ｔの間、平均検出信号３０を平均検出回路４００に送信しつづける回路であり、例えばＳＲ−ＦＦ（Ｓｅｔ  Ｒｅｓｅｔ−Ｆｌｉｐ  Ｆｌｏｐ）を備えた回路などで実現することができる。
【００２６】
（平均検出回路４００の説明）
平均検出回路４００は、平均検出開始判定部３００からの平均検出信号３０を受信すると、その時点から時間Ｔにわたる、電圧信号Ｖｏｕｔ２０の平均値Ｖａｖｅ４０を検出し、利得切替制御部５００に一定時間出力する回路である。平均検出回路４００の構成例は後で説明する。
【００２７】
（利得切替制御部５００の説明）
利得切替制御部５００は、コンパレータ５１０と、利得切替信号送信回路５２０を備える。
【００２８】
（コンパレータ５１０の説明）
コンパレータ５１０の正側には閾値電圧２が入力され、負側には前記平均検出回路４００より平均値Ｖａｖｅ４０が入力される。Ｖａｖｅ４０が閾値電圧２を超えた場合、前記コンパレータ５１０の出力はＨｉｇｈレベルとなり、利得切替信号送信回路５２０に入力される。
【００２９】
（利得切替信号送信回路５２０の説明）
利得切替信号送信回路５２０は、前記コンパレータ５１０からＨｉｇｈレベルの信号が入力されると、利得切替信号６０を送信することにより、前記前置増幅器２００が備えるスイッチ２４０を閉成し、前記前置増幅器２００の利得を小さくすることで、入力レベルの大きいバースト信号が入力された場合でも、適切な出力波形を得ることができる。また、前記平均検出回路４００により、前記前置増幅器２００の出力の平均値を利得の切替判断に使用することで、ノイズにより発生する不必要な利得の切替を防ぐことが可能となる。
【００３０】
（第１の実施例の動作説明）
ここで、第１の実施例における動作例を、図３の動作タイミング例に沿って説明する。図３における（Ａ）〜（Ｆ）は、それぞれ図２中の同記号の信号に対応する。また、本動作例のフローチャートを図４に示す。
【００３１】
本実施例におけるトランスインピーダンスアンプ５は、初期状態（Ｓ１）においてスイッチ２４０は開放されており、利得は相対的に大きい状態となっている。まず、時刻Ｔ１において、受光素子１００にＯＮＵ２からの光信号が入力されると、バースト信号１１として光電流１０が出力される。この光電流１０は前置増幅器２００に入力され、Ｖｏｕｔ２０が平均検出開始判定部３００に出力される。そして、時刻Ｔ２に前記平均検出開始判定部３００において、Ｖｏｕｔ２０が閾値電圧１を超えたと判断されたとする（Ｓ２）。すると、前記平均検出開始判定部３００が備える平均検出信号送信回路３２０より、平均検出信号３０が、平均検出回路４００に所定の時間Ｔ間（Ｔ３−Ｔ２）送信される。平均検出信号３０を受信した平均検出回路４００は、前記平均検出信号３０を受信しているＴ間の、Ｖｏｕｔ２０の平均値を検出し、結果としてＶａｖｅ４０を一定時間出力する（Ｓ３）。Ｖａｖｅ４０は、時刻Ｔ３にて利得切替制御部５００に入力され、コンパレータ５１０で閾値電圧２と比較される。この例では、平均値が検出されたＴ間において、常にレベルの大きい入力があったため、Ｖａｖｅ４０は閾値電圧２を超えたと判断され（Ｓ４）、コンパレータ５１０の出力がＨｉｇｈレベルとなり、利得切替信号送信回路５２０に入力される。すると、利得切替信号送信回路５２０は、利得切替信号６０をＨｉｇｈレベルに設定することで、前置増幅器２００のスイッチ２４０を閉成し、利得を小さくする（Ｓ５）。これによって、入力レベルの大きい信号に対し、歪の少ない適切な信号を出力することができる。また、この利得切替信号６０は、例えばＭＡＣ層などからのバースト信号１１の受信終了を知らせる外部リセット５０の信号が、時刻Ｔ４に利得切替信号送信回路５２０に入力されるまで送信される（Ｓ６）。
【００３２】
（平均検出回路４００の説明）
平均検出回路４００は、平均検出信号３０を受信した時点から、時間Ｔ間の平均値を検出し、結果として一定時間出力する回路である。図５により、平均検出回路４００の構成例を説明する。本平均検出回路４００は、前記平均検出開始判定部３００から送信される平均検出信号３０から、抵抗値切替タイミング信号Ｓｓｗ４１１と、平均値出力タイミング信号Ｓｓｈ４１２を生成するタイミング信号発生回路４１０と、前記抵抗値切替タイミング信号Ｓｓｗ４１１に応じて時定数を変化させながら、前置増幅器２００の出力Ｖｏｕｔ２０を積分する積分回路４２０と、前記積分回路４２０の出力信号を、前記平均値出力タイミング信号Ｓｓｈ４１２に同期して、平均値Ｖａｖｅ４０として標本化したのち、保持、出力するサンプルホールド回路４３０と、平均検出信号３０がＨｉｇｈレベルの場合に閉成され、積分回路４２０にＶｏｕｔ２０を入力するスイッチ４４０を備える。
【００３３】
（積分回路４２０の説明）
積分回路４２０は、例えば抵抗回路４２１と、一端が接地されたキャパシタ４２２の他端が接続され、その接続点を出力とし、抵抗回路４２１の開放側を入力とする回路である。抵抗回路４２１は、抵抗値切替タイミング信号Ｓｓｗ４１１のレベルに応じて抵抗値が大小２段階に切替えられるように構成された回路であり、Ｓｓｗ４１１がＬｏｗレベルのときに抵抗値小、Ｓｓｗ４１１がＨｉｇｈレベルのときに抵抗値大となる回路であればよい。このような抵抗回路４２１を用いることで、積分回路４２０の時定数を大小２段階に変化させる。この積分回路４２０には、図６に示すように、オペアンプ４２３を備えた積分回路を用いてもよい。
【００３４】
（平均検出回路４００の動作説明）
ここで、図５に示した平均検出回路４００の動作例を、図７に示した動作タイミング例に沿って説明する。図７における（I）〜（IV）は、それぞれ図５中の同記号の信号に対応する。
【００３５】
初期状態では、抵抗値切替タイミング信号Ｓｓｗ４１１、平均値出力タイミング信号Ｓｓｈ４１２はＬｏｗレベルとし、積分回路４２０の時定数を小さい値に固定しておく。時刻Ｔ１に平均検出信号３０が平均検出回路４００に入力されると、まずスイッチ４４０が閉成され、積分回路４２０に前記前置増幅器２００の出力Ｖｏｕｔ２０が入力される。また、タイミング信号発生回路４１０は平均検出信号３０を検出した時点から、所定の時間（Ｔ２−Ｔ１）が経過した後にＳｓｗ４１１をＨｉｇｈレベルにし、積分回路４２０の時定数を大きくする。そして、時刻Ｔ３において平均検出信号３０がＬｏｗレベルに戻ると、所定の時間（Ｔ４−Ｔ３）において、Ｓｓｈ４１２がサンプルホールド回路４３０に出力されると同時に、Ｓｓｈ４１２を受信した前記サンプルホールド回路４３０は、平均値Ｖａｖｅ４０を出力する。そして、Ｓｓｈ４１２がＬｏｗレベルになるのと同時に、Ｓｓｗ４１１をＬｏｗレベルにし、初期状態の時定数が小さい状態に戻す。このように、平均値の検出を開始してから、始めは積分回路４２０の時定数を小さくしておくことで、素早く平均値に達しさせることができ、Ｖｏｕｔ２０が閾値電圧１を超えてから時間Ｔが経過した時点で時定数を大きくすることで、安定した出力を得ることが可能となる。ただし、このように安定した平均値を得ることが出来れば、他の回路構成であっても問題はない。
【００３６】
（第１の実施例の効果）
以上説明した第１の実施例によれば、前置増幅器２００、平均検出開始判定部３００、平均検出回路４００、利得切替制御部５００などを備え、前置増幅器２００からの出力電圧信号Ｖｏｕｔ２０を閾値電圧１と比較し、このＶｏｕｔ２０が閾値電圧１を超えていた場合に、一定時間のＶｏｕｔ２０の平均値Ｖａｖｅ４０を検出し、このＶａｖｅ４０が閾値電圧２を超えていた場合に利得を小さくすることで、入力レベルの大きいバースト信号に対応し、適切な出力波形を得ることができる。この結果、トランスインピーダンスアンプ５において、ＯＬＴ１が送信する下り信号の反射、他のＯＮＵ２からの漏れ光、ＯＬＴ１内のリセット信号などに起因するノイズを受信した場合に発生する不必要な利得切替を防止し、入力レベルの大きいノイズを受信した後に入力レベルの小さいバースト信号を受信した場合の感度低下を防ぐことができる。
【００３７】
〔第２の実施例〕
本発明の第２の実施例におけるトランスインピーダンスアンプを、上述した第１の実施例と異なる部分を主に説明する。
【００３８】
（第２の実施例の動作説明）
本発明の第２の実施例として、図２に示した第１の実施例と同等の回路において、ノイズを受信した場合の動作について図８の動作タイミング例に沿って説明する。図８における（Ａ）〜（Ｆ）は、それぞれ図２中の同記号の信号に対応する。
【００３９】
まず、時刻Ｔ１において前記受光素子１００にノイズが入力されると、ノイズ１２として光電流１０が発生する。そして、前記前置増幅器２００の出力Ｖｏｕｔ２０が、前記平均検出開始判定部３００において、Ｖｏｕｔ２０と閾値電圧１がコンパレータ３１０において比較され、時刻Ｔ２においてＶｏｕｔ２０が閾値電圧１を超えたと判断されたとする。すると、第１の実施例の場合と同様に、時間Ｔの間のＶｏｕｔ２０の平均値が検出されＶａｖｅ４０が一定時間出力され、利得切替制御部５００が備えるコンパレータ５１０で閾値電圧２と比較される。ここでＶａｖｅ４０は、閾値電圧２を超えていないため、前置増幅器２００の利得の切替は実行されず、利得に関しては初期状態が維持される。
【００４０】
このように、第２の実施例では、瞬間的には入力レベルの大きいノイズ１２が入力された場合でも、前置増幅器２００の出力の一定時間の平均値を利得切替の判断に用いることで、不必要な切替を回避することができる。
【００４１】
前記前置増幅器２００がノイズ１２を受信した後、時刻Ｔ４にバースト信号１１を受信した場合は、第１の実施例の動作と同様に、入力レベルによって利得の切替が実行される。
【００４２】
〔第３の実施例〕
本発明の第３の実施例におけるトランスインピーダンスアンプを、上述した第１及び第２の実施例と異なる部分を主に説明する。
【００４３】
（回路構成の説明）
本発明の第３の実施例におけるトランスインピーダンスアンプについて、図９を参照して以下に説明する。第１及び第２の実施例における回路形態との違いは、前置増幅器２００と、利得切替制御部５００の構成である。
【００４４】
まず、前置増幅器２００は、第１及び第２の実施例では、２つの帰還抵抗を並列に接続したが、本実施例では、４つの帰還抵抗を並列に接続している。具体的には、反転増幅器２１０と、これに並列接続された帰還抵抗２２０、２３０、２５０、２７０と、帰還抵抗２３０、２５０、２７０に直列に接続されたスイッチ２４０、２６０、２８０から構成される。また、利得切替制御部５００は、第１及び第２の実施例では１つのコンパレータを備え、平均値Ｖａｖｅ４０と閾値電圧２の比較を行っていたが、本実施例では、３つのコンパレータ５１０、５３０、５５０を備え、３つの閾値電圧２、３、４と平均値Ｖａｖｅ４０の比較を行う。ここで、それぞれの閾値電圧の大小関係は、閾値電圧２＜閾値電圧３＜閾値電圧４であり、利得切替信号送信回路５２０、５４０、５６０は、それぞれ対応するコンパレータ５１０、５３０、５５０の出力がＨｉｇｈレベルになった場合に、利得切替信号６０、７０、８０を前記前置増幅器２００に送信し、スイッチ２４０、２６０、２８０を閉成する。これにより、初期状態と合わせて４つの利得値を使用することが可能となる。
【００４５】
（第３の実施例の動作説明）
ここで、図９及び図１０を用いて、第３の実施例におけるトランスインピーダンスアンプの動作について説明する。尚、図１０の（Ａ）〜（Ｈ）は、それぞれ図９中の同記号の信号に対応する。まず、時刻Ｔ１に、ノイズ１２が前記前置増幅器２００に入力された場合に関しては、第２の実施例と同様であり、Ｖａｖｅ４０が１つの閾値電圧も超えていないため、不必要な利得の切替が発生しない。
【００４６】
次に、時刻Ｔ４にバースト信号１１が前記前置増幅器２００に入力され、時刻Ｔ５に平均検出開始判定部３００において、Ｖｏｕｔ２０が閾値電圧１を超えたと判断されたとする。すると、第１及び第２の実施例における動作と同様に、時間Ｔ間のＶｏｕｔ２０の平均値が平均検出回路４００にて検出され、Ｖａｖｅ４０として利得切替制御部５００に出力される。ここでＶａｖｅ４０は、前記利得切替制御部５００が備えるコンパレータ５１０、５３０、５５０において、閾値電圧２、３、４とそれぞれ比較される。この例においては、Ｖａｖｅ４０は閾値電圧２と３を超え、４は超えていないため（閾値電圧２＜閾値電圧３＜Ｖａｖｅ４０＜閾値電圧４）、コンパレータ５１０と５３０の出力がＨｉｇｈレベルとなる。それに従い、利得切替信号送信回路５２０及び５４０は、利得切替信号６０及び７０をＨｉｇｈレベルに設定し、前置増幅器２００内のスイッチ２４０、２６０を閉成する。ここで、Ｖａｖｅ４０は閾値電圧４を超えていないため、利得切替信号８０は送信されない。スイッチ２４０、２６０が閉成されたことにより、前置増幅器２００は、帰還抵抗２２０、２３０、２５０が並列接続された状態となり、利得が小さくなる。時刻Ｔ７において、利得切替信号送信回路５２０及び５４０が外部リセット５０の信号を受信すると、再びＬｏｗレベルに戻り、スイッチ２４０、２６０は開放される。
【００４７】
このように、第３の実施例では、平均値Ｖａｖｅ４０と比較する閾値電圧を３つ備えることで、設定可能な利得値を増やすことができ、ダイナミックレンジをより広く確保することが可能となる。
【００４８】
〔第４の実施例〕
本発明の第４の実施例におけるトランスインピーダンスアンプを、上述した第１から第３の実施例と異なる部分を主に説明する。
【００４９】
（回路構成の説明）
本発明の第４の実施例におけるトランスインピーダンスアンプについて、図１１を参照して以下に説明する。本実施例は、前記第３の実施例と同様に前置増幅器２００に４つの帰還抵抗を備えているが、利得切替制御部５００の構成が異なる。本実施例における利得切替制御部５００は、コンパレータ５１０と、利得切替信号送信回路５８０を備え、前記利得切替信号送信回路５８０には、コンパレータ５１０の出力がＬｏｗレベルからＨｉｇｈレベルへの立ち上がりを検知した回数分の利得切替信号を送信する回路を用いる。前記利得切替信号発生回路５８０は、例えばカウンタ回路などを利用することで実現することができる。また、本実施例における平均検出回路４５０は、平均値Ｖａｖｅ４０を出力する間、平均検出信号送信回路３３０にリセット信号９０を送信し、前記平均検出信号送信回路３３０はその間平均検出信号３０を送信しないようにする。このような構成をとることにより、入力レベルに応じて、４つの利得値を段階的に切替えることが可能となる。
【００５０】
（第４の実施例の動作説明）
ここで、図１１及び図１２を用いて、第４の実施例におけるトランスインピーダンスアンプの動作について説明する。尚、図１２の（Ａ）〜（Ｉ）は、それぞれ図１１中の同記号の信号に対応する。まず、時刻Ｔ１に、ノイズ１２が前記前置増幅器２００に入力された場合に関しては、第２の実施例と同様であり、Ｖａｖｅ４０が１つの閾値電圧も超えていないため、不必要な利得の切替が発生しない。
【００５１】
次に、時刻Ｔ４にバースト信号１１が前記前置増幅器２００に入力され、時刻Ｔ５に前記平均検出開始判定部３００において、Ｖｏｕｔ２０が閾値電圧１を超えたと判断されたとする。すると、第１〜第３の実施例における動作と同様に、時間Ｔ間のＶｏｕｔ２０の平均値が前記平均検出回路４５０にて検出され、Ｖａｖｅ４０として前記利得切替制御部５００に出力される。ここでＶａｖｅ４０は、前記利得切替制御部５００が備えるコンパレータ５１０において、閾値電圧２と比較され、Ｖａｖｅ４０は閾値電圧２を超えたと判断されたため、前記コンパレータ５１０の出力がＨｉｇｈレベルとなる。すると、利得切替信号送信回路５８０は、前記コンパレータ５１０出力の１回目の立ち上がりを検知したことで、利得切替信号６０をＨｉｇｈレベルに設定し前置増幅器２００内のスイッチ２４０を閉成する。また、前記平均検出回路４５０はＶａｖｅ４０を前記利得切替制御部５００に出力する時刻Ｔ７までの間、リセット信号９０を前記平均検出信号送信回路３３０に送信し、その間平均検出信号送信回路３３０が平均検出信号３０を送信しないように制御する。
【００５２】
１回目の利得切替動作が終了し、前記平均検出回路４５０が出力するＶａｖｅ４０及びリセット信号９０がＬｏｗレベルに戻ると、時刻Ｔ７に、再び前記平均検出開始判定部３００において、Ｖｏｕｔ２０と閾値電圧１が比較された結果、Ｖｏｕｔ２０が閾値電圧１を超えている場合、平均検出信号３０が前記平均検出回路４５０に送信され、平均値の検出が行われる。ここで、再びＶａｖｅ４０が閾値電圧２を超えた場合、前記利得切替信号送信回路５８０はコンパレータ５１０の出力の２回目の立ち上がりを検知し、利得切替信号７０をＨｉｇｈレベルにすることでスイッチ２６０を閉成し、利得をさらに小さくする。
【００５３】
同様に、２回目の利得切替動作が終了し、時刻Ｔ９に再びＶｏｕｔ２０と閾値電圧１の比較の結果、平均値の検出が開始され、Ｖａｖｅ４０が閾値電圧２を上回っていた場合は、前記利得切替信号送信回路５８０がコンパレータ５１０の３回目の信号の立ち上がりを検知することによって、利得切替信号８０が送信されることによりスイッチ２８０が閉成され、最も利得が小さい状態になる。バースト信号１１の受信が終了し、時刻Ｔ１１に前記利得切替信号送信回路５８０が外部リセット５０の信号を受信すると、全ての利得切替信号はＬｏｗレベルに戻り、スイッチ２４０、２６０、２８０は開放される。
【００５４】
このような動作により、第４の実施例では、トランスインピーダンスアンプへの入力レベルに応じて段階的に利得を小さくすることが可能となる。
【００５５】
〔その他〕
なお、上述した各実施例は、本発明の好適な実施例であり、本発明は前記実施例に限定されるものではなく、その要旨を逸脱しない範囲内において種々変更実施が可能である。例えば、第３、第４の実施例においては、４つの帰還抵抗を接続していたが、帰還抵抗の数は３つまたは５つ以上であってもよい。
【産業上の利用可能性】
【００５６】
本発明は、ＯＬＴと複数のＯＮＵとを有するＰＯＮシステムに関し、特に、バースト信号受信機内のトランスインピーダンスアンプにおける利得切り替え技術に利用可能である。
【符号の説明】
【００５７】
１  ＯＬＴ
２  ＯＮＵ
３  光ファイバ
４  光分岐器
５  トランスインピーダンスアンプ
１０  光電流
１１  バースト信号
１２  ノイズ
２０  電圧信号Ｖｏｕｔ
３０  平均検出信号
４０  平均値Ｖａｖｅ
５０  外部リセット
６０、７０、８０  利得切替信号
９０  リセット信号
１００  受光素子
２００  前置増幅器
２１０  反転増幅器
２２０、２３０、２５０、２７０  帰還抵抗
２４０、２６０、２８０  スイッチ
３００  平均検出開始判定部
３１０  コンパレータ
３２０、３３０  平均検出信号送信回路
４００  平均検出回路
４１０  タイミング信号発生回路
４１１  抵抗値切替タイミング信号Ｓｓｗ
４１２  平均値出力タイミング信号Ｓｓｈ
４２０  積分回路
４２１  抵抗回路
４２２  キャパシタ
４２３  オペアンプ
４３０  サンプルホールド回路
４４０  スイッチ
４５０  平均検出回路
５００  利得切替制御部
５１０、５３０、５５０  コンパレータ
５２０、５４０、５６０、５８０  利得切替信号送信回路
６００  後置増幅器
７００  ＰＨＹ
８００  ＭＡＣフレーム処理部
【図１】
2010082585.tif 000003
【図２】
2010082585.tif 000004
【図３】
2010082585.tif 000005
【図４】
2010082585.tif 000006
【図５】
2010082585.tif 000007
【図６】
2010082585.tif 000008
【図７】
2010082585.tif 000009
【図８】
2010082585.tif 000010
【図９】
2010082585.tif 000011
【図１０】
2010082585.tif 000012
【図１１】
2010082585.tif 000013
【図１２】
2010082585.tif 000014
【国際調査報告】
2010082585.tif 000015
2010082585.tif 000016
2010082585.tif 000017
2010082585.tif 000018